(57)【要約】【課題】  カメラのシャッタ音の音量を周囲の雑音の大きさに応じて自動的に調整することが可能な自動音量調整機能付き携帯電話機の提供。【解決手段】  自動音量調整機能付き携帯電話機１は、アンテナ２と、送受信部３と、操作部４と、表示部５と、カメラ６と、音データ記憶部７と、画像データ記憶部８と、スピーカ９と、雑音計測部１０と、シャッタ音量調整部１１と、全体制御部１２と、電源制御部１３とを有する。自動音量調整機能付き携帯電話機１がカメラモードである場合、雑音計測部１０が携帯電話の周囲の雑音の大きさを計測する。シャッタ音量調整部１１がカメラ６のシャッタ音の音量を雑音計測部１０で計測した携帯電話の周囲の雑音の大きさに合わせて自動的に大きくしたり，小さくしたりする調整を行う。【選択図】        図３
2005210282.tif 000002
【特許請求の範囲】
【請求項１】
カメラ機能を搭載し、通信相手からの電話・メールの着信音の音量或いはカメラのシャッタ音の音量を周囲の雑音の大きさに合わせて自動的に調整する機能を備え、無線を利用して携帯しながら通信を行う自動音量調整機能付き携帯電話機であって、
アンテナと、前記アンテナを介して電波を送受信する送受信部と、携帯電話の各種機能の操作を行う操作部と、電話番号，メール，画像など各種のデータを表示する表示部と、被写体を撮影するカメラと、電話・メールの変更可能な数種類の着信音パターンまたは着信メロディなどの着信音の音データ及び前記カメラの変更可能な数種類のシャッタ音の音データを記憶する音データ記憶部と、前記カメラで撮影した被写体の画像データを記憶する画像データ記憶部と、電話・メールの着信音或いは前記カメラのシャッタ音を出力するスピーカと、携帯電話の周囲の雑音の大きさを計測する雑音計測部と、前記カメラのシャッタ音の音量を調整するシャッタ音量調整部と、携帯電話機全体を制御する全体制御部と、前記携帯電話機全体に必要な電力を供給するための電源を制御する電源制御部とを有し、前記シャッタ音量調整部は、前記カメラのシャッタ音の音量を前記雑音計測部で計測した携帯電話の周囲の雑音の大きさに合わせて減少／増加させて最適な大きさとなるように自動的に調整する機能を備えたことを特徴とする自動音量調整機能付き携帯電話機。
【請求項２】
さらに、上記電話・メールの着信音の音量を調整する着信音量調整部を有し、前記着信音量調整部は、前記電話・メールの着信音の音量を上記雑音計測部で計測した携帯電話の周囲の雑音の大きさに合わせて減少／増加させて最適な大きさとなるように自動的に調整する機能を備えている請求項１に記載の自動音量調整機能付き携帯電話機。
【請求項３】
さらに、上記電話・メールの着信呼び出し回数を計数する着信呼び出し回数計数部と、前記電話・メールの着信呼び出し時間を計時する着信呼び出し時間計時部とを有し、上記着信音量調整部は、前記電話・メールの着信音の音量を前記着信呼び出し回数計数部で計数した着信呼び出し回数若しくは前記着信呼び出し時間計時部で計時した着信呼び出し時間の長さに比例して徐々に大きくなるように自動的に調整する機能を備えている請求項１または２に記載の自動音量調整機能付き携帯電話機。
【請求項４】
さらに、携帯電話機本体を手で触ってタッチしたことを静電容量の変化で検知するタッチ検知部を有し、上記着信音量調整部は、前記タッチ検知部が前記携帯電話機本体に手でタッチしたことを検知すると、上記電話・メールの着信音の音量を予め設定されている元の大きさに自動的に復帰させる機能を備えている請求項１乃至３のいずれかに記載の自動音量調整機能付き携帯電話機。
【請求項５】
さらに、上記電話・メールの着信音の着信メロディを変更する着信メロディ変更部を有し、前記着信メロディ変更部は、前記電話・メールの着信音の着信メロディを上記着信呼び出し回数計数部で計数した着信呼び出し回数若しくは上記着信呼び出し時間計時部で計時した着信呼び出し時間の長さにより異なる他の着信メロディに自動的に順次変更する機能を備えている請求項１乃至４のいずれかに記載の自動音量調整機能付き携帯電話機。
【請求項６】
上記着信メロディ変更部は、上記電話・メールの着信音の着信メロディを着信時間帯により選定した異なる他の着信メロディに自動的に変更する機能を備えている請求項５に記載の自動音量調整機能付き携帯電話機。
【発明の詳細な説明】
【技術分野】
【０００１】
本発明は、自動音量調整機能付き携帯電話機に関し、特に、携帯電話・メールの着信音の音量やカメラのシャッタ音の音量を周囲の雑音の大きさに応じて自動的に調整するようにした自動音量調整機能を備えたカメラ付き携帯電話機の改良に関するものである。
【背景技術】
【０００２】
近年、日本国内においては、カメラ機能を搭載したカメラ付き携帯電話機が一般に広く普及してきており、街中や外出先や旅行先などでカメラ付き携帯電話機のカメラを使用して、人物，動物，植物，車両，風景などの被写体の静止画・動画を気軽に撮影し、カメラ付き携帯電話機のカメラで撮影した被写体の静止画や動画などの画像を通話相手に簡単にメールで送ることもできる。
【０００３】
そして、このようなカメラ付き携帯電話機では、通常のカメラと同様に、被写体である被撮影者にシャッタを切ったことを報知したり、撮影者である携帯電話機ユーザにシャッタを切ったことを実感させるために、シャッタボタンの押下操作に応じてシャッタ音を鳴音させるようになっている。
【発明の開示】
【発明が解決しようとする課題】
【０００４】
ところが、カメラ付き携帯電話機は、小型・軽量で携帯してどのような場所にでも容易に隠して持ち込めるため、最近、被写体となっている人物に気づかれないように近づいて無断でカメラ付き携帯電話機のカメラで撮影を行う盗撮や、書店，コンビニエンスストアなどで書籍，雑誌などの出版物を買わずに立ち読みしながら必要な内容の記事や写真だけを店員に見つからないように無断でカメラ付き携帯電話機のカメラで撮影するデジタル万引などのカメラ付き携帯電話機を悪用した犯罪が社会的に大きな問題となっており、また、カメラ撮影が禁止されている場所であるにもかかわらず、美術館，博物館などで絵画・彫刻などの美術品や学術的資料などの展示物を無断で職員に見つからないように撮影したりするマナーの悪い見学人も多く、さらにまた、プライベートの時間を過ごしている芸能人，プロスポーツ選手，アナウンサーなどの著名人を承諾を得ずに無断でカメラ付き携帯電話機のカメラで盗撮すると、個人のプライバシーを侵害するおそれがあり、著名人と撮影者との間でトラブルが発生する原因にもなっていた。
【０００５】
さらに、従来のカメラ付き携帯電話機では、携帯電話・メールの着信音の音量が手動で変更可能であり、しかも、カメラのシャッタ音が複数種類の中から手動で自由に選択可能となっているが、カメラのシャッタ音の音量はあらかじめ設定されており、多数の人で混みあう雑踏，多数の人や車が往来する街中，或いは通勤・通学などの乗客で混雑した電車内においては、携帯電話・メールの着信音やカメラのシャッタ音が周囲の雑音で掻き消されてしまい、携帯電話・メールの着信音やカメラのシャッタ音を聞き取りにくく、携帯電話・メールの着信音の音量やカメラのシャッタ音の音量を周囲の雑音の大きさに応じて自動的に調整することができなかった。
【０００６】
そこで、本発明の目的は、上記の事情に鑑みてなされたものであって、多数の人で混みあう雑踏，多数の人や車が往来する街中，或いは通勤・通学などの乗客で混雑した電車内においても、携帯電話・メールの着信音やカメラのシャッタ音が周囲の雑音で掻き消されてしまうことがなく、携帯電話機ユーザ或いは被写体である被撮影者が携帯電話・メールの着信音やカメラのシャッタ音を確実に聞き取れ、携帯電話・メールの着信音の音量やカメラのシャッタ音の音量を周囲の雑音の大きさに応じて聞き取れる最適な大きさに自動的に調整することが可能な自動音量調整機能付き携帯電話機を提供することにある。
【課題を解決するための手段】
【０００７】
本発明の自動音量調整機能付き携帯電話機は、カメラ機能を搭載し、通信相手からの電話・メールの着信音の音量或いはカメラのシャッタ音の音量を周囲の雑音の大きさに合わせて自動的に調整する機能を備え、無線を利用して携帯しながら通信を行う自動音量調整機能付き携帯電話機であって、アンテナと、前記アンテナを介して電波を送受信する送受信部と、携帯電話の各種機能の操作を行う操作部と、電話番号，メール，画像など各種のデータを表示する表示部と、被写体を撮影するカメラと、電話・メールの変更可能な数種類の着信音パターンまたは着信メロディなどの着信音の音データ及び前記カメラの変更可能な数種類のシャッタ音の音データを記憶する音データ記憶部と、前記カメラで撮影した被写体の画像データを記憶する画像データ記憶部と、電話・メールの着信音或いは前記カメラのシャッタ音を出力するスピーカと、携帯電話の周囲の雑音の大きさを計測する雑音計測部と、前記カメラのシャッタ音の音量を調整するシャッタ音量調整部と、携帯電話機全体を制御する全体制御部と、前記携帯電話機全体に必要な電力を供給するための電源を制御する電源制御部とを有し、前記シャッタ音量調整部が、前記カメラのシャッタ音の音量を前記雑音計測部で計測した携帯電話の周囲の雑音の大きさに合わせて減少／増加させて最適な大きさとなるように自動的に調整する機能を備えたことを特徴とする構成を有するものである。
【０００８】
上記に記載の本発明によれば、携帯電話機をカメラモードにすると、雑音計測部が携帯電話の周囲の雑音の大きさを計測し、シャッタ音量調整部がカメラのシャッタ音の音量を雑音計測部で計測した携帯電話の周囲の雑音の大きさに合わせて減少／増加させて最適な大きさとなるように自動的に調整するので、カメラのシャッタ音の音量を携帯電話の周囲の騒音の状況に応じて大きくしたり，小さくしたりすることができ、シャッタ音量調整部で調整された音量のカメラのシャッタ音をスピーカから出力するので、被写体である被撮影者にカメラ撮影したことを報知することができ、多数の人で混みあう雑踏，多数の人や車が往来する街中，或いは通勤・通学などの乗客で混雑した電車内においても、カメラのシャッタ音が周囲の雑音で掻き消されてしまうようなこともなく、被写体である被撮影者がカメラのシャッタ音を確実に聞き取れるので、従来のような盗撮やデジタル万引などのカメラ付き携帯電話機を悪用した犯罪を未然に防止することができる。
【０００９】
本発明の自動音量調整機能付き携帯電話機は、さらに、上記電話・メールの着信音の音量を調整する着信音量調整部を有し、前記着信音量調整部が、前記電話・メールの着信音の音量を上記雑音計測部で計測した携帯電話の周囲の雑音の大きさに合わせて減少／増加させて最適な大きさとなるように自動的に調整する機能を備えている。
【００１０】
上記に記載の本発明によれば、携帯電話機を携帯電話・メールモードにすると、着信音量調整部が電話・メールの着信音の音量を雑音計測部で計測した携帯電話の周囲の雑音の大きさに合わせて減少／増加させて最適な大きさとなるように自動的に調整するので、電話・メールの着信音の音量を携帯電話の周囲の騒音の状況に応じて大きくしたり，小さくしたりすることができ、着信音量調整部で調整された音量の電話・メールの着信音をスピーカから出力するので、携帯電話機ユーザに電話・メールの着信を報知することができ、多数の人で混みあう雑踏，多数の人や車が往来する街中，或いは通勤・通学などの乗客で混雑した電車内においても、電話・メールの着信音が周囲の雑音で掻き消されてしまうようなこともなく、携帯電話機ユーザが電話・メールの着信音を確実に聞き取れるので、通信相手からの電話・メールが着信していることを知ることができる。
【００１１】
本発明の自動音量調整機能付き携帯電話機は、さらに、上記電話・メールの着信呼び出し回数を計数する着信呼び出し回数計数部と、前記電話・メールの着信呼び出し時間を計時する着信呼び出し時間計時部とを有し、上記着信音量調整部が、前記電話・メールの着信音の音量を前記着信呼び出し回数計数部で計数した着信呼び出し回数若しくは前記着信呼び出し時間計時部で計時した着信呼び出し時間の長さに比例して徐々に大きくなるように自動的に調整する機能を備えている。
【００１２】
上記に記載の本発明によれば、着信呼び出し回数計数部が通信相手からの電話・メールの着信呼び出し回数を計数すると共に、着信呼び出し時間計時部が通信相手からの電話・メールの着信呼び出し時間を計時し、着信音量調整部が電話・メールの着信音の音量を着信呼び出し回数計数部で計数した着信呼び出し回数若しくは着信呼び出し時間計時部で計時した着信呼び出し時間の長さに比例して徐々に大きくなるように自動的に調整するので、通信相手からの電話・メールが着信中であることを着信音により携帯電話機ユーザにはっきりと知らせることができ、携帯電話機ユーザが電話・メールの着信音を聞き逃すおそれも少ない。
【００１３】
本発明の自動音量調整機能付き携帯電話機は、さらに、携帯電話機本体を手で触ってタッチしたことを静電容量の変化で検知するタッチ検知部を有し、上記着信音量調整部が、前記タッチ検知部が前記携帯電話機本体に手でタッチしたことを検知すると、上記電話・メールの着信音の音量を予め設定されている元の大きさに自動的に復帰させる機能を備えている。
【００１４】
上記に記載の本発明によれば、携帯電話機ユーザが携帯電話機本体を手でタッチすると、タッチ検知部が携帯電話機ユーザの手による携帯電話機本体のタッチ動作を検知し、着信音量調整部が電話・メールの着信音の音量を予め設定されている元の大きさに自動的に復帰させるので、携帯電話機ユーザが電話・メールの着信音の音量を手による操作入力で元の大きさに設定し直すような面倒な手間を省くことができる。
【００１５】
本発明の自動音量調整機能付き携帯電話機は、さらに、上記電話・メールの着信音の着信メロディを変更する着信メロディ変更部を有し、前記着信メロディ変更部が、前記電話・メールの着信音の着信メロディを上記着信呼び出し回数計数部で計数した着信呼び出し回数若しくは上記着信呼び出し時間計時部で計時した着信呼び出し時間の長さにより異なる他の着信メロディに自動的に順次変更する機能を備えている。
【００１６】
上記に記載の本発明によれば、着信メロディ変更部が電話・メールの着信音の着信メロディを着信呼び出し回数計数部で計数した着信呼び出し回数若しくは着信呼び出し時間計時部で計時した着信呼び出し時間の長さにより異なる他の着信メロディに自動的に順次変更するので、携帯電話機ユーザの所持する携帯電話機が通信相手からの電話・メールを着信中であることを変化する着信メロディにより携帯電話機ユーザ本人に対して聞き逃すことがないようにはっきりと知らせることができる。
【００１７】
本発明の自動音量調整機能付き携帯電話機は、上記着信メロディ変更部が、上記電話・メールの着信音の着信メロディを着信時間帯により選定した異なる他の着信メロディに自動的に変更する機能を備えている。
【００１８】
上記に記載の本発明によれば、着信メロディ変更部が電話・メールの着信音の着信メロディを着信時間帯により予め選定した異なる他の着信メロディに自動的に変更するので、通信相手からの電話・メールの着信時に、電話・メールの着信音の着信メロディを例えば、朝・昼・夜・夜間などの着信時間帯毎に携帯電話機ユーザの好みに応じたメロディに変えてスピーカから流すことができる。
【発明の効果】
【００１９】
以上に述べたように、本発明によれば、多数の人で混みあう雑踏，多数の人や車が往来する街中，或いは通勤・通学などの乗客で混雑した電車内であっても、携帯電話・メールの着信音やカメラのシャッタ音が周囲の雑音で掻き消されてしまうことがなく、携帯電話機ユーザ或いは被写体である被撮影者が携帯電話・メールの着信音やカメラのシャッタ音を確実に聞き取れ、携帯電話・メールの着信音の音量やカメラのシャッタ音の音量を周囲の雑音の大きさに応じて聞き取れる最適な大きさに自動的に調整することが可能な自動音量調整機能付き携帯電話機を得ることができる。
【発明を実施するための最良の形態】
【００２０】
以下、本発明を実施するための最良の形態を図面を参照して詳細に説明する。
【実施例】
【００２１】
本発明の自動音量調整機能付き携帯電話機１は、カメラ機能を搭載し、通信相手からの電話・メールの着信音の音量或いはカメラ６のシャッタ音の音量を周囲の雑音の大きさに合わせて自動的に調整する機能を備え、無線を利用して携帯しながら通信を行うものである。
【００２２】
本発明の自動音量調整機能付き携帯電話機１は、アンテナ２と、アンテナ２を介して電波を送受信する送受信部３と、携帯電話の各種機能の操作を行う操作部４と、電話番号，メール，画像など各種のデータを表示する表示部５と、被写体を撮影するカメラ６と、電話・メールの変更可能な数種類の着信音パターンまたは着信メロディなどの着信音の音データ及びカメラ６の変更可能な数種類のシャッタ音の音データを記憶する音データ記憶部７と、カメラ６で撮影した被写体の画像データを記憶する画像データ記憶部８と、電話・メールの着信音或いはカメラ６のシャッタ音を出力するスピーカ９と、携帯電話の周囲の雑音の大きさを計測する雑音計測部１０と、カメラ６のシャッタ音の音量を調整するシャッタ音量調整部１１と、携帯電話機全体を制御する全体制御部１２と、携帯電話機全体に必要な電力を供給するための電源を制御する電源制御部１３とを有し、シャッタ音量調整部１１が、カメラ６のシャッタ音の音量を雑音計測部１０で計測した携帯電話の周囲の雑音の大きさに合わせて減少／増加させて最適な大きさとなるように自動的に調整する機能を備えている。
【００２３】
本発明の自動音量調整機能付き携帯電話機１は、さらに、電話・メールの着信音の音量を調整する着信音量調整部１４を有し、着信音量調整部１４が、電話・メールの着信音の音量を雑音計測部１０で計測した携帯電話の周囲の雑音の大きさに合わせて減少／増加させて最適な大きさとなるように自動的に調整する機能を備えている。
【００２４】
本発明の自動音量調整機能付き携帯電話機１は、さらに、通信相手からの電話・メールの着信呼び出し回数を計数する着信呼び出し回数計数部１５と、通信相手からの電話・メールの着信呼び出し時間を計時する着信呼び出し時間計時部１６とを有し、着信音量調整部１４が、電話・メールの着信音の音量を着信呼び出し回数計数部１５で計数した着信呼び出し回数若しくは着信呼び出し時間計時部１６で計時した着信呼び出し時間の長さに比例して徐々に大きくなるように自動的に調整する機能を備えている。
【００２５】
本発明の自動音量調整機能付き携帯電話機１は、さらに、携帯電話機本体を手で触ってタッチしたことを静電容量の変化で検知するタッチ検知部１７を有し、着信音量調整部１４が、タッチ検知部１７が携帯電話機本体に手でタッチしたことを検知すると、電話・メールの着信音の音量を予め設定されている元の大きさに自動的に復帰させる機能を備えている。
【００２６】
本発明の自動音量調整機能付き携帯電話機１は、さらに、通信相手からの電話・メールの着信音の着信メロディを変更する着信メロディ変更部１８を有し、着信メロディ変更部１８が、電話・メールの着信音の着信メロディを着信呼び出し回数計数部１５で計数した着信呼び出し回数若しくは着信呼び出し時間計時部１６で計時した着信呼び出し時間の長さにより異なる他の着信メロディに自動的に順次変更する機能を備えている。
【００２７】
本発明の自動音量調整機能付き携帯電話機１は、着信メロディ変更部１８が、電話・メールの着信音の着信メロディを着信時間帯により選定した異なる他の着信メロディに自動的に変更する機能を備えている。
【００２８】
図１は、本発明に係る実施例の自動音量調整機能付き携帯電話機を示す正面図、図２は、本発明に係る実施例の自動音量調整機能付き携帯電話機を示す背面図、図３は、本発明に係る実施例の自動音量調整機能付き携帯電話機の全体構成を示す機能ブロック図である。
自動音量調整機能付き携帯電話機１は、折り畳みタイプであり、図１に示すように、伸縮式のアンテナ２，受話器３０，表示画面５ａを有する液晶表示パネルからなる表示部５を配設した第１の筐体３１と、送話器３２，複数のプッシュ式の操作ボタン３３やプッシュ式のシャッタボタン３４を有する操作パネルからなる操作部４を配設した第２の筐体３５とを備えており、第１の筐体３１及び第２の筐体３５から携帯電話機本体が構成されている。
【００２９】
自動音量調整機能付き携帯電話機１の第１の筐体３１には、ヒンジの円筒形のバレル３１ａが一体に形成されている。
【００３０】
自動音量調整機能付き携帯電話機１の第２の筐体３５には、第１の筐体３１のバレル３１ａに係合するヒンジの円筒形のバレル３５ａが一体に形成されている。
【００３１】
自動音量調整機能付き携帯電話機１は、第１の筐体３１のバレル３１ａと第２の筐体３５のバレル３５ａとがヒンジピン３６を介して揺動自在に連結されている。
【００３２】
自動音量調整機能付き携帯電話機１の第１の筐体３１には、図２に示すように、カメラ６，スピーカ９，表示画面３７ａを有する液晶表示パネルからなる背面表示部３７が配設されている。
【００３３】
自動音量調整機能付き携帯電話機１は、図３に示すように、アンテナ２と、アンテナ２を介して外部との電波の送受信を行う送受信部３と、通信相手との通信を制御する通信制御部１９と、携帯電話の各種機能の操作を行う操作部４と、操作部４を制御する操作制御部２０と、電話番号，電子メール・静止画メール・動画メールなどの各種のメール，静止画・動画などの画像など各種のデータを表示する表示部５と、表示部５を制御する表示制御部２１と、各種の制御を行う各種制御部２２と、送受話部の音声を入出力する音声入出力部２３と、送受話部の音声入出力を制御する音声入出力制御部２４と、被写体を撮影するカメラ６と、カメラ６で撮影した被写体の静止画・動画などの画像データを処理する画像処理部２５と、カメラ６で撮影した被写体の静止画・動画などの画像データを記憶する画像データ記憶部８と、電話・メールの変更可能な数種類の着信音パターンまたは着信メロディなどの着信音の音データ及びカメラ６の変更可能な数種類のシャッタ音の音データを記憶する音データ記憶部７と、電話・メールの着信音或いはカメラ６のシャッタ音を出力するスピーカ９と、音声信号の各処理を行う音声処理部２６と、携帯電話の周囲の雑音の大きさを計測する雑音計測部１０と、カメラ６のシャッタ音の音量を雑音計測部１０で計測した携帯電話の周囲の雑音の大きさに合わせて自動的に大きくしたり，小さくしたりする調整を行うシャッタ音量調整部１１と、携帯電話機を機能させる携帯電話機能部２７と、携帯電話機全体を制御する全体制御部１２と、携帯電話機全体に必要な電力を供給するための電源を制御する電源制御部１３と、電話・メールの着信音の音量を雑音計測部１０で計測した携帯電話の周囲の雑音の大きさに合わせて自動的に大きくしたり，小さくしたりする調整を行う着信音量調整部１４と、電話・メールの着信呼び出し回数を計数する着信呼び出し回数計数部１５と、電話・メールの着信呼び出し時間を計時する着信呼び出し時間計時部１６と、携帯電話機ユーザが携帯電話機本体を手で触ってタッチしたことを静電容量の変化で検知するタッチ検知部１７と、電話・メールの着信音の着信メロディを変更する着信メロディ変更部１８とを有している。
【００３４】
自動音量調整機能付き携帯電話機１の全体制御部１２には、操作部４，表示部５，音データ記憶部７，画像データ記憶部８，雑音計測部１０，シャッタ音量調整部１１，電源制御部１３，着信音量調整部１４，タッチ検知部１７，着信メロディ変更部１８，通信制御部１９，操作制御部２０，表示制御部２１，各種制御部２２，音声入出力部２３，音声入出力制御部２４，画像処理部２５，音声処理部２６及び携帯電話機能部２７がそれぞれ接続されている。
【００３５】
自動音量調整機能付き携帯電話機１の通信制御部１９には、送受信部３が接続され、送受信部３には、アンテナ２が接続されている。
【００３６】
自動音量調整機能付き携帯電話機１の画像処理部２５には、カメラ６が接続されている。
【００３７】
自動音量調整機能付き携帯電話機１の音声処理部２６には、スピーカ９が接続されている。
【００３８】
図４は、本発明に係る実施例の自動音量調整機能付き携帯電話機におけるカメラによる被写体撮影時の処理フロー図である。
ステップＳ１００でスタートした処理は、カメラ６による被写体撮影時に、まず、ステップＳ１０１で自動音量調整機能付き携帯電話機１がカメラモードであるか否かを判断する。
【００３９】
ステップＳ１０１において、自動音量調整機能付き携帯電話機１がカメラモードである場合は、ステップＳ１０２に移行し、ステップＳ１０２で雑音計測部１０が携帯電話の周囲の雑音の大きさを計測し、次いで、ステップＳ１０３でシャッタ音量調整部１１がカメラ６のシャッタ音の音量を雑音計測部１０で計測した携帯電話の周囲の雑音の大きさに合わせて被写体である被撮影者が確実に聞き取れる最適な大きさに自動的に調整し、次いで、ステップＳ１０４で携帯電話機ユーザがシャッタボタン３４を指で押下操作したか否かを判断する。
【００４０】
ステップＳ１０４において、携帯電話機ユーザがシャッタボタン３４を指で押下操作した場合は、ステップＳ１０５に移行し、ステップＳ１０５で画像処理部２５がカメラ６で撮影した被写体の静止画・動画などの画像データを処理し、次いで、ステップＳ１０６で画像データ記憶部８がカメラ６で撮影した被写体の静止画・動画などの画像データを記憶し、次いで、ステップＳ１０７で音声処理部２６がカメラ６のシャッタ音の音声信号を処理し、次いで、ステップＳ１０８でシャッタ音量調整部１１により調整された音量のカメラ６のシャッタ音をスピーカ９から出力する。
【００４１】
図５は、本発明に係る実施例の自動音量調整機能付き携帯電話機における通信相手からの通常の電話・メールの受信待ち受け時の処理フロー図である。
ステップＳ２００でスタートした処理は、通信相手からの通常の電話・メールの受信待ち受け時に、まず、ステップＳ２０１で自動音量調整機能付き携帯電話機１が携帯電話・メールモードであるか否かを判断する。
【００４２】
ステップＳ２０１において、自動音量調整機能付き携帯電話機１が携帯電話・メールモードである場合は、ステップＳ２０２に移行し、ステップＳ２０２で雑音計測部１０が携帯電話の周囲の雑音の大きさを計測し、次いで、ステップＳ２０３で着信音量調整部１４が電話・メールの着信音の音量を雑音計測部１０で計測した携帯電話の周囲の雑音の大きさに合わせて携帯電話機ユーザが確実に聞き取れる最適な大きさに自動的に調整し、次いで、ステップＳ２０４で通信相手からの電話・メールの着信が有るか否かを判断する。
【００４３】
ステップＳ２０４において、通信相手からの電話・メールの着信が有る場合は、ステップＳ２０５に移行し、ステップＳ２０５で音声処理部２６が電話・メールの着信音の音声信号を処理し、次いで、ステップＳ２０６で着信音量調整部１４により調整された音量の電話・メールの着信音をスピーカ９から出力する。
【００４４】
図６は、本発明に係る実施例の自動音量調整機能付き携帯電話機における通信相手からの通常の電話・メールの着信時の処理フロー図である。
ステップＳ３００でスタートした処理は、通信相手からの通常の電話・メールの着信時に、まず、ステップＳ３０１で着信呼び出し回数計数部１５が通信相手からの電話・メールの着信呼び出し回数を計数し、次いで、ステップＳ３０２で着信呼び出し時間計時部１６が通信相手からの電話・メールの着信呼び出し時間を計時し、次いで、ステップＳ３０３で着信音量調整部１４が電話・メールの着信音の音量を着信呼び出し回数計数部１５で計数した着信呼び出し回数若しくは着信呼び出し時間計時部１６で計時した着信呼び出し時間の長さに比例して徐々に大きくなるように自動的に調整する。
【００４５】
図７は、本発明に係る実施例の自動音量調整機能付き携帯電話機における通信相手からの通常の電話・メールの受信時の処理フロー図である。
ステップＳ４００でスタートした処理は、通信相手からの通常の電話・メールの受信時に、まず、ステップＳ４０１でタッチ検知部１７が静電容量の変化により携帯電話機ユーザの手による携帯電話機本体のタッチ動作を検知したかを判断する。
【００４６】
ステップＳ４０１において、タッチ検知部１７が静電容量の変化により携帯電話機ユーザの手による携帯電話機本体のタッチ動作を検知した場合は、ステップＳ４０２に移行し、ステップＳ４０２で着信音量調整部１４が電話・メールの着信音の音量を予め設定されている元の大きさに自動的に復帰させる。
【００４７】
図８は、本発明に係る実施例の自動音量調整機能付き携帯電話機における電話・メールの着信音の着信メロディの着信呼び出し態様による変更時の処理フロー図である。
ステップＳ５００でスタートした処理は、電話・メールの着信音の着信メロディの着信呼び出し態様による変更時に、まず、ステップＳ５０１で通信相手からの電話・メールの着信が有るか否かを判断する。
【００４８】
ステップＳ５０１において、通信相手からの電話・メールの着信が有る場合は、ステップＳ５０２に移行し、ステップＳ５０２で着信呼び出し回数計数部１５が通信相手からの電話・メールの着信呼び出し回数を計数し、次いで、ステップＳ５０３で着信呼び出し時間計時部１６が通信相手からの電話・メールの着信呼び出し時間を計時し、次いで、ステップＳ５０４で着信メロディ変更部１８が電話・メールの着信音の着信メロディを着信呼び出し回数計数部１５で計数した着信呼び出し回数若しくは着信呼び出し時間計時部１６で計時した着信呼び出し時間の長さにより異なる他の着信メロディに自動的に順次変更する。
【００４９】
図９は、本発明に係る実施例の自動音量調整機能付き携帯電話機における電話・メールの着信音の着信メロディの着信時間帯による変更時の処理フロー図である。
ステップＳ６００でスタートした処理は、電話・メールの着信音の着信メロディの着信時間帯による変更時に、まず、ステップＳ６０１で通信相手からの電話・メールを着信した時間が電話・メールの着信音の着信メロディを変更する時間帯であるか否かを判断する。
【００５０】
ステップＳ６０１において、通信相手からの電話・メールを着信した時間が電話・メールの着信音の着信メロディを変更する時間帯である場合は、ステップＳ６０２に移行し、ステップＳ６０２で着信メロディ変更部１８が電話・メールの着信音の着信メロディを着信時間帯により選定した異なる他の着信メロディに自動的に変更する。
【図面の簡単な説明】
【００５１】
【図１】本発明に係る実施例の自動音量調整機能付き携帯電話機を示す正面図。
【図２】本発明に係る実施例の自動音量調整機能付き携帯電話機を示す背面図。
【図３】本発明に係る実施例の自動音量調整機能付き携帯電話機の全体構成を示す機能ブロック図。
【図４】本発明に係る実施例の自動音量調整機能付き携帯電話機におけるカメラによる被写体撮影時の処理フロー図。
【図５】本発明に係る実施例の自動音量調整機能付き携帯電話機における通信相手からの通常の電話・メールの受信待ち受け時の処理フロー図。
【図６】本発明に係る実施例の自動音量調整機能付き携帯電話機における通信相手からの通常の電話・メールの着信時の処理フロー図。
【図７】本発明に係る実施例の自動音量調整機能付き携帯電話機における通信相手からの通常の電話・メールの受信時の処理フロー図。
【図８】本発明に係る実施例の自動音量調整機能付き携帯電話機における電話・メールの着信音の着信メロディの着信呼び出し態様による変更時の処理フロー図。
【図９】本発明に係る実施例の自動音量調整機能付き携帯電話機における電話・メールの着信音の着信メロディの着信時間帯による変更時の処理フロー図。
【符号の説明】
【００５２】
１  自動音量調整機能付き携帯電話機
２  アンテナ
３  送受信部
４  操作部
５  表示部
５ａ  表示画面
６  カメラ
７  音データ記憶部
８  画像データ記憶部
９  スピーカ
１０  雑音計測部
１１  シャッタ音量調整部
１２  全体制御部
１３  電源制御部
１４  着信音量調整部
１５  着信呼び出し回数計数部
１６  着信呼び出し時間計時部
１７  タッチ検知部
１８  着信メロディ変更部
１９  通信制御部
２０  操作制御部
２１  表示制御部
２２  各種制御部
２３  音声入出力部
２４  音声入出力制御部
２５  画像処理部
２６  音声処理部
２７  携帯電話機能部
３０  受話器
３１  第１の筐体
３１ａ  バレル
３２  送話器
３３  操作ボタン
３４  シャッタボタン
３５  第２の筐体
３５ａ  バレル
３６  ヒンジピン
３７  背面表示部
３７ａ  表示画面
【図１】
2005210282.tif 000003
【図２】
2005210282.tif 000004
【図３】
2005210282.tif 000005
【図４】
2005210282.tif 000006
【図５】
2005210282.tif 000007
【図６】
2005210282.tif 000008
【図７】
2005210282.tif 000009
【図８】
2005210282.tif 000010
【図９】
2005210282.tif 000011